(57)【要約】【課題】フローティング構造を有し、かつ低背化された場合であっても、信号伝送における伝送特性が向上するコネクタを提供する。【解決手段】本発明に係るコネクタ１０は、接続対象物６０と嵌合するコネクタ１０であって、第１インシュレータ２０と、第１インシュレータ２０に対して相対的に移動可能である第２インシュレータ３０と、第１インシュレータ２０及び第２インシュレータ３０に取り付けられているコンタクト６０と、第１インシュレータ２０の内側に配置され、電気伝導性を有する部材を含む調整部材５０ａ、５０ｂと、を備え、調整部材５０ａ、５０ｂは、コンタクト６０と対向する調整部５１ａ、５１ｂを有する。【選択図】図７
2019169370.tif 000002
【特許請求の範囲】
【請求項１】
接続対象物と嵌合するコネクタであって、
第１インシュレータと、
前記第１インシュレータに対して相対的に移動可能である第２インシュレータと、
前記第１インシュレータ及び前記第２インシュレータに取り付けられているコンタクトと、
前記第１インシュレータの内側に配置され、電気伝導性を有する部材を含む調整部材と、
を備え、
前記調整部材は、前記コンタクトと対向する調整部を有する、
コネクタ。
【請求項２】
前記調整部は、前記コネクタと前記接続対象物との嵌合方向において、前記コンタクトよりも嵌合側に位置する、
請求項１に記載のコネクタ。
【請求項３】
前記調整部は、前記第１インシュレータと前記第２インシュレータとの間で前記コンタクトと対向する、
請求項１又は２に記載のコネクタ。
【請求項４】
前記調整部は、前記コネクタと前記接続対象物との嵌合方向と略直交する方向において、両側から前記コンタクトと対向する、
請求項３に記載のコネクタ。
【請求項５】
前記調整部は、前記第２インシュレータよりも、前記コネクタと前記接続対象物との嵌合側と反対側で前記コンタクトと対向する、
請求項１乃至４のいずれか１項に記載のコネクタ。
【請求項６】
前記コンタクトは複数配列されており、
前記調整部は、複数の前記コンタクトが配列されている領域を含むように、前記コンタクトの配列方向に延在する、
請求項１乃至５のいずれか１項に記載のコネクタ。
【請求項７】
前記調整部は、金属部材を含み表層に電気絶縁性を有している、
請求項１乃至６のいずれか１項に記載のコネクタ。
【請求項８】
前記調整部材は、
前記第１インシュレータに係止する係止部と、
該係止部と前記調整部とを連結する接続部と、
を有する、
請求項１乃至７のいずれか１項に記載のコネクタ。
【請求項９】
前記接続部は、前記コネクタと前記接続対象物との嵌合方向において、前記コンタクトよりも嵌合側に位置する、
請求項８に記載のコネクタ。
【請求項１０】
前記第２インシュレータは、前記調整部材の前記調整部と対向する外面から前記調整部に向けて突出する突出部を有する、
請求項１乃至９のいずれか１項に記載のコネクタ。
【請求項１１】
請求項１乃至１０のいずれか１項に記載のコネクタを備える電子機器。
【発明の詳細な説明】
【技術分野】
【０００１】
本発明は、コネクタ及び電子機器に関する。
【背景技術】
【０００２】
従来、接続対象物との接続信頼性を向上させるための技術として、例えば嵌合中及び嵌合後においてもコネクタの一部が可動することで回路基板間の位置ずれを吸収するフローティング構造を有したコネクタが知られている。
【０００３】
特許文献１に記載のリセプタクルコネクタでは、コネクタが有するコンタクトの形状に工夫が施されている。これにより、リセプタクルコネクタでは、フローティング機能が維持され、コネクタの小型化もでき、かつ、特性インピーダンス及びクロストーク等を含む電気特性の規格が満足される。
【先行技術文献】
【特許文献】
【０００４】
【特許文献１】特開２０１４−１６５０８４号公報
【発明の概要】
【発明が解決しようとする課題】
【０００５】
近年、電子機器では、小型化が著しく進んでいる。これに伴い、電子機器内部の回路基板に実装されるフローティング構造を用いたコネクタに対しても、さらなる小型化が要求される。より具体的には、電子機器を小型化するために、電子機器内部の基板同士が接続されている際の基板間距離を短くする必要がある。したがって、基板同士を接続する際に使用されるフローティング構造を用いたコネクタの低背化が要求される。
【０００６】
加えて、電子機器では、情報量の増加及び通信速度の高速化も進んでいる。フローティング構造を用いたコネクタにおいても、このような大容量かつ高速伝送に対応した設計が求められる。
【０００７】
コネクタがさらに低背化された場合、伝送特性を向上させるためにコンタクトの形状に工夫を施すことが困難となる。伝送規格を満足させるためにコンタクトの形状に工夫を施している特許文献１に記載のリセプタクルコネクタでは、さらなる低背化及び大容量高速伝送への対応を共に実現することは困難である。したがって、コネクタがさらに低背化された場合であっても大容量高速伝送に対応できるためには、異なる設計が必要となる。
【０００８】
このような問題点に鑑みてなされた本発明の目的は、フローティング構造を有し、かつ低背化された場合であっても、信号伝送における伝送特性が向上するコネクタを提供することにある。
【課題を解決するための手段】
【０００９】
上記課題を解決するために、第１の観点に係るコネクタは、
接続対象物と嵌合するコネクタであって、
第１インシュレータと、
前記第１インシュレータに対して相対的に移動可能である第２インシュレータと、
前記第１インシュレータ及び前記第２インシュレータに取り付けられているコンタクトと、
前記第１インシュレータの内側に配置され、電気伝導性を有する部材を含む調整部材と、
を備え、
前記調整部材は、前記コンタクトと対向する調整部を有する。
【００１０】
第２の観点に係るコネクタでは、
前記調整部は、前記コネクタと前記接続対象物との嵌合方向において、前記コンタクトよりも嵌合側に位置する。
【００１１】
第３の観点に係るコネクタでは、
前記調整部は、前記第１インシュレータと前記第２インシュレータとの間で前記コンタクトと対向する。
【００１２】
第４の観点に係るコネクタでは、
前記調整部は、前記コネクタと前記接続対象物との嵌合方向と略直交する方向において、両側から前記コンタクトと対向する。
【００１３】
第５の観点に係るコネクタでは、
前記調整部は、前記第２インシュレータよりも、前記コネクタと前記接続対象物との嵌合側と反対側で前記コンタクトと対向する。
【００１４】
第６の観点に係るコネクタでは、
前記コンタクトは複数配列されており、
前記調整部は、複数の前記コンタクトが配列されている領域を含むように、前記コンタクトの配列方向に延在する。
【００１５】
第７の観点に係るコネクタでは、
前記調整部は、金属部材を含み表層に電気絶縁性を有している。
【００１６】
第８の観点に係るコネクタでは、
前記調整部材は、
前記第１インシュレータに係止する係止部と、
該係止部と前記調整部とを連結する接続部と、
を有する。
【００１７】
第９の観点に係るコネクタでは、
前記接続部は、前記コネクタと前記接続対象物との嵌合方向において、前記コンタクトよりも嵌合側に位置する。
【００１８】
第１０の観点に係るコネクタでは、
前記第２インシュレータは、前記調整部材の前記調整部と対向する外面から前記調整部に向けて突出する突出部を有する。
【００１９】
第１１の観点に係る電子機器は、
上記のいずれかのコネクタを備える。
【発明の効果】
【００２０】
本発明の一実施形態に係るコネクタによれば、フローティング構造を有し、かつ低背化された場合であっても、信号伝送における伝送特性が向上する。
【図面の簡単な説明】
【００２１】
【図１】一実施形態に係るコネクタと接続対象物とが接続されている状態を上面視により示した外観斜視図である。
【図２】一実施形態に係るコネクタと接続対象物とが分離している状態を上面視により示した外観斜視図である。
【図３】一実施形態に係るコネクタを上面視により示した外観斜視図である。
【図４】図３のコネクタの上面視による分解斜視図である。
【図５】一対のコンタクトを示した正面図である。
【図６】図３のVI−VI矢線に沿った断面斜視図である。
【図７】図３のVI−VI矢線に沿った断面図である。
【図８】第２インシュレータの移動の第１例を示した図７に対応する断面図である。
【図９】第２インシュレータの移動の第２例を示した図７に対応する断面図である。
【図１０】図３のコネクタと接続される接続対象物を上面視により示した外観斜視図である。
【図１１】図１０の接続対象物の上面視による分解斜視図である。
【図１２】図１のXII−XII矢線に沿った断面図である。
【図１３】調整部材の変形例を示した図７に対応する断面図である。
【発明を実施するための形態】
【００２２】
以下、添付図面を参照しながら本発明の一実施形態について説明する。以下の説明中の前後、左右、及び上下の方向は、図中の矢印の方向を基準とする。各矢印の方向は、図１乃至図９、図１２及び図１３において、異なる図面同士で互いに整合している。各矢印の方向は、図１０及び図１１同士で互いに整合している。図面によっては、簡便な図示を目的として、回路基板ＣＢ１及びＣＢ２の図示を省略する。
【００２３】
図１は、一実施形態に係るコネクタ１０と接続対象物７０とが接続されている状態を上面視により示した外観斜視図である。図２は、一実施形態に係るコネクタ１０と接続対象物７０とが分離している状態を上面視により示した外観斜視図である。
【００２４】
以下の説明では、一実施形態に係るコネクタ１０はプラグコネクタであり、接続対象物７０はリセプタクルコネクタであるとして説明する。より具体的には、コネクタ１０と接続対象物７０とが接続される際に、コンタクト６０が弾性変形しないコネクタ１０をプラグコネクタとし、コンタクト１００が弾性変形する接続対象物７０をリセプタクルコネクタとして説明する。コネクタ１０及び接続対象物７０の種類は、これに限定されない。コネクタ１０がリセプタクルコネクタの役割を果たし、接続対象物７０がプラグコネクタの役割を果たしてもよい。
【００２５】
以下の説明では、コネクタ１０及び接続対象物７０は、回路基板ＣＢ１及びＣＢ２にそれぞれ実装され、一例としてこれらに対して互いに垂直方向に接続されるとして説明する。より具体的には、コネクタ１０及び接続対象物７０は、一例として上下方向に沿って接続される。コネクタ１０及び接続対象物７０の接続方法は、これに限定されない。コネクタ１０及び接続対象物７０は、回路基板ＣＢ１及びＣＢ２に対して、それぞれ平行方向に接続されてもよいし、一方が垂直方向、他方が平行方向による組み合わせで接続されてもよい。
【００２６】
回路基板ＣＢ１及びＣＢ２は、リジッド基板であってよいし、又はそれ以外の任意の回路基板であってもよい。例えば、回路基板ＣＢ１又はＣＢ２は、フレキシブルプリント回路基板（ＦＰＣ）であってもよい。
【００２７】
以下の説明中で使用する「嵌合方向」は、一例として上下方向を含む。「嵌合方向と略直交する方向」は、一例として前後方向と前後方向に近似する方向とを含む。「嵌合側」は、一例として上側を含む。「嵌合側と反対側」は、一例として下側を含む。「コンタクト６０の配列方向」は、一例として左右方向を含む。「コンタクト６０の配列方向と略直交する方向」は、一例として前後方向と前後方向に近似する方向とを含む。「突出部３７の突出方向」は、一例として前後方向を含む。
【００２８】
一実施形態に係るコネクタ１０は、フローティング構造を有している。コネクタ１０は、接続されている接続対象物７０の回路基板ＣＢ１に対する相対的な移動を許容する。すなわち、接続対象物７０は、コネクタ１０と接続されている状態であっても、回路基板ＣＢ１に対して所定の範囲内で動くことができる。
【００２９】
図３は、一実施形態に係るコネクタ１０を上面視により示した外観斜視図である。図４は、図３のコネクタ１０の上面視による分解斜視図である。図５は、一対のコンタクト６０を示した正面図である。図６は、図３のVI−VI矢線に沿った断面斜視図である。図７は、図３のVI−VI矢線に沿った断面図である。
【００３０】
図３乃至図７を参照しながら、コンタクト６０が弾性変形しない状態における一実施形態に係るコネクタ１０の構成について主に説明する。
【００３１】
図４に示すとおり、コネクタ１０は、大きな構成要素として、第１インシュレータ２０と、第２インシュレータ３０と、金具４０と、調整部材５０ａ及び５０ｂと、コンタクト６０と、を有する。コネクタ１０は、一例として以下の方法で組み立てられる。第１インシュレータ２０に対して下方から金具４０及び調整部材５０ａを圧入する。第１インシュレータ２０に対して下方からその内側に第２インシュレータ３０を配置する。第１インシュレータ２０及び第２インシュレータ３０に対して下方からコンタクト６０を圧入する。第１インシュレータ２０及び第２インシュレータ３０に圧入されたコンタクト６０に対して下方から調整部材５０ｂを挿入する。調整部材５０ｂの取付方法は、任意の方法であってよい。例えば、調整部材５０ｂが弾性を有し、クリップのように一対のコンタクト６０を挟み込んだ状態で取り付けられてもよい。
【００３２】
図４、図６、及び図７に示すとおり、第１インシュレータ２０は、絶縁性かつ耐熱性の合成樹脂料を射出成形した、角筒状の部材である。第１インシュレータ２０は、中空であり、上面及び下面に開口２１ａ及び２１ｂをそれぞれ有する。第１インシュレータ２０は、４つの側面を含み、内部の空間を囲繞する外周壁２２を有する。第１インシュレータ２０は、外周壁２２の左右両端部それぞれの下面から上方に向けて第１インシュレータ２０の内部に凹設されている第１取付溝２３ａを有する。第１取付溝２３ａには、金具４０が取り付けられる。第１インシュレータ２０は、上面裏側の前後両縁部それぞれに上方に向けて第１インシュレータ２０の内部に凹設されている第２取付溝２３ｂを有する。第２取付溝２３ｂには、調整部材５０ａが取り付けられる。
【００３３】
第１インシュレータ２０は、外周壁２２の前面及び後面それぞれの下縁部から下面及び内面にわたって形成されている複数のコンタクト取付溝２４を有する。複数のコンタクト取付溝２４は、左右方向に並んで凹設されている。コンタクト取付溝２４は、第１インシュレータ２０の内面において、上下方向に延在する。複数のコンタクト取付溝２４には、複数のコンタクト６０がそれぞれ取り付けられる。
【００３４】
第１インシュレータ２０は、内部において外周壁２２の４つの角部から前後左右の内側方向にそれぞれ突出する４つの抜止部２５を有する。抜止部２５は、第１インシュレータ２０に対する第２インシュレータ３０の上方への抜けを抑制する。
【００３５】
第２インシュレータ３０は、絶縁性かつ耐熱性の合成樹脂料を射出成形した、左右方向に延在する部材である。第２インシュレータ３０は、左右方向からの側面視において略凸字状に形成されている。第２インシュレータ３０は、底面を含む下部を構成する底部３１を有する。第２インシュレータ３０は、４つの側面を含み、内部の空間を囲繞する外周壁３２を有する。
【００３６】
第２インシュレータ３０は、底部３１から上方に突出し、接続対象物７０と嵌合する嵌合凸部３３を有する。第２インシュレータ３０は、上面から凹設されている嵌合凹部３４を有する。外周壁３２は、嵌合凸部３３及び嵌合凹部３４を前後左右方向から囲繞する。嵌合凸部３３は、嵌合凹部３４の内部に配置されている。第２インシュレータ３０は、嵌合凹部３４の上縁部において、嵌合凹部３４を囲繞するように形成されている誘い込み部３５を有する。誘い込み部３５は、嵌合凹部３４の上縁部において下方に向けて斜め内側に傾斜する傾斜面を含む。
【００３７】
第２インシュレータ３０は、底部３１の底面から、その内部及び嵌合凸部３３の前後両面それぞれにわたって形成されている複数のコンタクト取付溝３６を有する。複数のコンタクト取付溝３６は、左右方向に並んで凹設されている。コンタクト取付溝３６は、底部３１の底面から嵌合凸部３３の上端まで上下方向に延在する。複数のコンタクト取付溝３６には、複数のコンタクト６０がそれぞれ取り付けられる。
【００３８】
第２インシュレータ３０は、外周壁３２の前後の外面３２ａそれぞれから外側に突出する突出部３７を有する。より具体的には、突出部３７は、後述する調整部材５０ａの調整部５１ａと対向する外周壁３２の外面３２ａから調整部５１ａに向けて突出する。突出部３７は、複数のコンタクト６０が配列されている領域を含むように、コンタクト６０の配列方向に延在する。第２インシュレータ３０は、突出部３７が形成されている位置において、嵌合側よりも突出部３７の突出方向に幅広である。突出部３７は、嵌合側と反対側に向けて突出部３７の突出方向に傾斜する傾斜面を含む。より具体的には、突出部３７は、外周壁３２の前後の外面３２ａの上部から下縁部まで下方に向けて外側に傾斜する傾斜面を含む。
【００３９】
第２インシュレータ３０は、外周壁３２の前後の外面３２ａそれぞれの左右両端部から外側に突出する２つの被抜止部３８を有する。被抜止部３８は、第２インシュレータ３０が上方へ過剰に移動した場合に、第１インシュレータ２０の抜止部２５と接触する。
【００４０】
図４に示すとおり、金具４０は、任意の金属材料の薄板を順送金型（スタンピング）を用いて図に示す形状に成形加工したものである。金具４０の全体は、前後方向からの正面視において、略Ｊ字状に形成されている。金具４０は第１取付溝２３ａに圧入され、第１インシュレータ２０の左右両端部それぞれに配置されている。
【００４１】
金具４０は、その本体を構成する基部４１と、基部４１の前後両縁部それぞれに形成されている係止部４２と、を有する。係止部４２が第１インシュレータ２０の第１取付溝２３ａに係止することで、金具４０が第１インシュレータ２０に対して固定される。金具４０は、基部４１から略Ｕ字状に外側に延出する実装部４３を有する。
【００４２】
図４、図６、及び図７に示すとおり、調整部材５０ａは、任意の金属材料の薄板を順送金型（スタンピング）を用いて成形加工した後、その一部を電気絶縁性を有する部材で覆ったものである。すなわち、調整部材５０ａは、電気伝導性を有する部材を含む。一対の調整部材５０ａは第２取付溝２３ｂに圧入され、それぞれ前後両側で第１インシュレータ２０と第２インシュレータ３０との間に配置されている。より具体的には、一対の調整部材５０ａは、一対のコンタクト６０と第２インシュレータ３０との間にそれぞれ配置されている。調整部材５０ａは、複数のコンタクト６０が配列されている領域を含むように、コンタクト６０の配列方向に延在する。
【００４３】
調整部材５０ａは、第１インシュレータ２０と第２インシュレータ３０との間でコンタクト６０と対向する調整部５１ａを有する。調整部５１ａは、金属部材を含み表層に電気絶縁性を有している。コンタクト６０と対向する調整部５１ａの面は平面である。調整部５１ａは、複数のコンタクト６０が配列されている領域を含むように、コンタクト６０の配列方向に延在する。
【００４４】
調整部材５０ａは、その上端部において、第１インシュレータ２０に係止する係止部５２ａを有する。係止部５２ａが第１インシュレータ２０の第２取付溝２３ｂに係止することで、調整部材５０ａが第１インシュレータ２０に取り付けられる。調整部材５０ａは、係止部５２ａと調整部５１ａとを連結する接続部５３ａを有する。接続部５３ａは、コネクタ１０と接続対象物７０との嵌合方向において、コンタクト６０よりも嵌合側に位置する。より具体的には、接続部５３ａは、嵌合方向において、第１インシュレータ２０とコンタクト６０との間に位置する。
【００４５】
調整部材５０ｂは、任意の金属材料の薄板を順送金型（スタンピング）を用いて成形加工した後、その一部を電気絶縁性を有する部材で覆ったものである。すなわち、調整部材５０ｂは、電気伝導性を有する部材を含む。調整部材５０ｂは、左右方向の側面視において、略コ字状に形成されている。調整部材５０ｂは、第１インシュレータ２０の内側に配置されている。調整部材５０ｂの一部は、コンタクト６０に対して下方から挿入され、前後両側で第１インシュレータ２０と第２インシュレータ３０との間に配置される。このとき、調整部材５０ｂの他の部分は、第２インシュレータ３０の下方に配置される。調整部材５０ｂは、複数のコンタクト６０が配列されている領域を含むように、コンタクト６０の配列方向に延在する。
【００４６】
調整部材５０ｂは、コンタクト６０と対向する調整部５１ｂを有する。より具体的には、調整部５１ｂは、第１インシュレータ２０と第２インシュレータ３０との間でコンタクト６０と対向する調整部５１ｂ１と、第２インシュレータ３０の下方でコンタクト６０と対向する調整部５１ｂ２と、を含む。調整部５１ｂは、金属部材を含み表層に電気絶縁性を有している。コンタクト６０と対向する調整部５１ｂの面は平面である。調整部５１ｂは、複数のコンタクト６０が配列されている領域を含むように、コンタクト６０の配列方向に延在する。調整部材５０ｂは、調整部５１ｂ１と調整部５１ｂ２とを互いに連結する接続部５３ｂを有する。
【００４７】
図４乃至図７に示すとおり、コンタクト６０は、例えば、リン青銅、ベリリウム銅、若しくはチタン銅を含むばね弾性を備えた銅合金、又はコルソン系銅合金の薄板を順送金型（スタンピング）を用いて図に示す形状に成形加工したものである。コンタクト６０は、弾性変形に伴う形状変化が大きくなるように、弾性係数の小さい金属材料によって形成されている。コンタクト６０の表面には、ニッケルめっきで下地を形成した後に、金又は錫等によるめっきが施されている。
【００４８】
図４に示すとおり、コンタクト６０は、左右方向に複数配列されている。図６及び図７に示すとおり、コンタクト６０は、第１インシュレータ２０及び第２インシュレータ３０に取り付けられている。同一の左右位置に配列される一対のコンタクト６０は、コンタクト６０の配列方向と略直交する方向に沿って対称的に形成及び配置されている。より具体的には、一対のコンタクト６０は、その間の中心を通る上下軸に対して互いに略線対称となるように形成及び配置されている。
【００４９】
コンタクト６０は、上下方向に延在する第１係止部６１を有する。第１係止部６１は、第１インシュレータ２０に対して係止する。このとき、第１係止部６１は、第１インシュレータ２０のコンタクト取付溝２４に収容されている。コンタクト６０は、第１係止部６１の下端部から略Ｌ字状に外方に延出する実装部６２を有する。
【００５０】
コンタクト６０は、第１係止部６１の上端部から内側に屈曲して斜め上方に延出し、再度屈曲して上方に延在する、弾性変形可能な第１弾性部６３ａを有する。コンタクト６０は、第１弾性部６３ａと連続して形成され、上方に直線的に延在する第１連結部６４を有する。コンタクト６０は、第１連結部６４の上端部から略逆Ｕ字状に屈曲しながら内側に延出する第２弾性部６３ｂを有する。第２弾性部６３ｂは、弾性変形可能である。
【００５１】
コンタクト６０は、第２弾性部６３ｂと連続して形成され、下方に延在する第２連結部６５を有する。第２連結部６５は、第２インシュレータ３０の外周壁３２の前後方向の外面３２ａと対向する。第２連結部６５は、第１インシュレータ２０と第２インシュレータ３０とを連結する。図４にも示すとおり、第２連結部６５は、第１弾性部６３ａ、第２弾性部６３ｂ、及び後述する第３弾性部６３ｃよりも左右方向に幅広である。
【００５２】
コンタクト６０は、第２連結部６５の下端部から略Ｌ字状に屈曲しながら内側に延出する第３弾性部６３ｃを有する。第３弾性部６３ｃは、弾性変形可能である。コンタクト６０は、第３弾性部６３ｃからコネクタ１０の内側に向けて延出する基部６６を有する。
【００５３】
コンタクト６０は、基部６６の内側の端部から略Ｌ字状に延出する第２係止部６７を有する。第２係止部６７は、基部６６から前後方向内側に直線的に延出した後、略直角に屈曲し、上下方向に沿って嵌合側へと直線的に延出する。第２係止部６７は、第２インシュレータ３０に対して係止する。このとき、第２係止部６７の略全体は、第２インシュレータ３０のコンタクト取付溝３６に収容されている。コンタクト６０は、第２係止部６７の前後方向の外面によって形成され、嵌合の際に接続対象物７０のコンタクト１００と接触する接触部６８を有する。接触部６８は、第２インシュレータ３０のコンタクト取付溝３６から前後方向外側に向けて露出する。接触部６８は、第２連結部６５と前後方向に対向する。これにより、コンタクト６０が低背化する。結果、コネクタ１０が低背化する。
【００５４】
図４及び図６に示すとおり、実装部６２、第１弾性部６３ａ、第２弾性部６３ｂ、第３弾性部６３ｃ、及び接触部６８は、コンタクト６０の他の部分よりも左右方向に幅狭に形成されている。これにより、第１弾性部６３ａ、第２弾性部６３ｂ、及び第３弾性部６３ｃの弾性係数が小さくなり、一定の力が加わった場合により大きな弾性変形量が得られる。逆に、第１係止部６１の一部、第１連結部６４、第２連結部６５、基部６６、及び第２係止部６７の一部は、コンタクト６０の他の部分よりも左右方向に幅広に形成されている。これにより、第１係止部６１及び第２係止部６７が、第１インシュレータ２０及び第２インシュレータ３０に対してそれぞれ係止しやすくなる。第１連結部６４、第２連結部６５、及び基部６６における特性インピーダンスが低下し、コンタクト６０における伝送特性が向上する。
【００５５】
図７に示すとおり、第１インシュレータ２０と第２インシュレータ３０との間で、調整部材５０ａの調整部５１ａと調整部材５０ｂの調整部５１ｂ１とは、嵌合方向と略直交する方向において、両側からコンタクト６０と対向する。より具体的には、調整部５１ａ及び調整部５１ｂ１は、前後方向において内側及び外側からコンタクト６０の第２連結部６５とそれぞれ対向する。すなわち、コンタクト６０の第２連結部６５は、前後方向において、調整部５１ａと調整部５１ｂ１との間に位置する。調整部５１ａ及び調整部５１ｂ１それぞれと第２連結部６５とは、互いに近接又は接触する。調整部５１ａ及び調整部５１ｂ１それぞれと第２連結部６５との間隔は、上下方向にわたって略同一である。すなわち、調整部５１ａ及び調整部５１ｂ１それぞれと第２連結部６５とは略平行である。
【００５６】
第２インシュレータ３０の下方で、調整部材５０ｂの調整部５１ｂ２は、下方からコンタクト６０の基部６６と対向する。すなわち、コンタクト６０の基部６６は、上下方向において、第２インシュレータ３０の底部３１と調整部５１ｂ２との間に位置する。第２インシュレータ３０の底部３１及び調整部５１ｂ２それぞれと基部６６とは、互いに近接又は接触する。第２インシュレータ３０の底部３１及び調整部５１ｂ２それぞれと基部６６との間隔は、前後方向にわたって略同一である。すなわち、第２インシュレータ３０の底部３１及び調整部５１ｂ２それぞれと基部６６とは略平行である。
【００５７】
以上のような構造のコネクタ１０では、回路基板ＣＢ１の実装面に形成された回路パターンに対して、コンタクト６０の実装部６２がはんだ付けされる。当該実装面に形成された接地パターン等に対して、金具４０の実装部４３がはんだ付けされる。以上により、コネクタ１０は、回路基板ＣＢ１に対して実装される。回路基板ＣＢ１の実装面には、例えば、ＣＰＵ、コントローラ、及びメモリ等を含むコネクタ１０とは別の電子部品が実装される。
【００５８】
図８は、第２インシュレータ３０の移動の第１例を示した図７に対応する断面図である。図９は、第２インシュレータ３０の移動の第２例を示した図７に対応する断面図である。
【００５９】
図８及び図９を参照しながら、一対のコンタクト６０が弾性変形するときの各構成部の動作について主に説明する。以下では説明の簡便のために、前側に配置されているコンタクト６０をコンタクト６０ａとし、後側に配置されているコンタクト６０をコンタクト６０ｂとして説明する。
【００６０】
図８では、一例として、第２インシュレータ３０が何らかの外的要因によって前方に移動した場合を想定する。
【００６１】
第２インシュレータ３０が前方に移動すると、前側の調整部材５０ａの調整部５１ａ、コンタクト６０ａの第２連結部６５、及び調整部材５０ｂの前側の調整部５１ｂ１が第２インシュレータ３０の突出部３７によって前方に押される。このとき、調整部材５０ａの接続部５３ａが弾性変形して、調整部５１ａが上方から下方に向けて外側に傾斜する。同様に、コンタクト６０ａの各弾性部が弾性変形して、第２連結部６５が上方から下方に向けて外側に傾斜する。同様に、調整部材５０ｂの接続部５３ｂが弾性変形して、調整部５１ｂ１が上方から下方に向けて外側に傾斜する。
【００６２】
第２インシュレータ３０が前方に移動すると、コンタクト６０ｂの第２連結部６５が前方に引っ張られる。これに伴って、後側の調整部材５０ａの調整部５１ａがコンタクト６０ｂの第２連結部６５によって前方に押される。調整部材５０ｂは、クリップのようにコネクタ１０に取り付けられているため、接続部５３ｂによって常にコネクタ１０の内側に向かって弾性変形しようとする。そのため、コンタクト６０ｂが前方に引っ張られた際、コネクタ１０の内側へ弾性力を与える接続部５３ｂによって、調整部５１ｂ１がコンタクト６０ｂに追従して前方に動く。このとき、調整部材５０ａの接続部５３ａが弾性変形して、調整部５１ａが上方から下方に向けて内側に傾斜する。同様に、コンタクト６０ｂの各弾性部が弾性変形して、第２連結部６５が上方から下方に向けて内側に傾斜する。同様に、調整部材５０ｂの接続部５３ｂが弾性変形して、調整部５１ｂ１が上方から下方に向けて内側に傾斜する。
【００６３】
図９では、一例として、第２インシュレータ３０が何らかの外的要因によって後方に移動した場合を想定する。
【００６４】
第２インシュレータ３０が後方に移動すると、後側の調整部材５０ａの調整部５１ａ、コンタクト６０ｂの第２連結部６５、及び調整部材５０ｂの後側の調整部５１ｂ１が第２インシュレータ３０の突出部３７によって後方に押される。このとき、調整部材５０ａの接続部５３ａが弾性変形して、調整部５１ａが上方から下方に向けて外側に傾斜する。同様に、コンタクト６０ｂの各弾性部が弾性変形して、第２連結部６５が上方から下方に向けて外側に傾斜する。同様に、調整部材５０ｂの接続部５３ｂが弾性変形して、調整部５１ｂ１が上方から下方に向けて外側に傾斜する。
【００６５】
第２インシュレータ３０が後方に移動すると、コンタクト６０ａの第２連結部６５が後方に引っ張られる。これに伴って、前側の調整部材５０ａの調整部５１ａがコンタクト６０ａの第２連結部６５によって後方に押される。調整部材５０ｂは、クリップのようにコネクタ１０に取り付けられているため、接続部５３ｂによって常にコネクタ１０の内側に向かって弾性変形しようとする。そのため、コンタクト６０ａが後方に引っ張られた際、コネクタ１０の内側へ弾性力を与える接続部５３ｂによって、調整部５１ｂ１がコンタクト６０ａに追従して後方に動く。このとき、調整部材５０ａの接続部５３ａが弾性変形して、調整部５１ａが上方から下方に向けて内側に傾斜する。同様に、コンタクト６０ａの各弾性部が弾性変形して、第２連結部６５が上方から下方に向けて内側に傾斜する。同様に、調整部材５０ｂの接続部５３ｂが弾性変形して、調整部５１ｂ１が上方から下方に向けて内側に傾斜する。
【００６６】
第２インシュレータ３０が前方及び後方のいずれかに移動した場合であっても、調整部５１ａ及び調整部５１ｂ１それぞれとコンタクト６０の第２連結部６５とは略平行である。調整部５１ａ、調整部５１ｂ１、及び第２連結部６５の相対位置は、第２インシュレータ３０の移動前後において略同一である。同様に、第２インシュレータ３０が前方及び後方のいずれかに移動した場合であっても、第２インシュレータ３０の底部３１及び調整部材５０ｂの調整部５１ｂ２それぞれとコンタクト６０の基部６６とは略平行である。底部３１、調整部５１ｂ２、及び基部６６の相対位置は、第２インシュレータ３０の移動前後において略同一である。
【００６７】
図１０は、図３のコネクタ１０と接続される接続対象物７０を上面視により示した外観斜視図である。図１１は、図１０の接続対象物７０の上面視による分解斜視図である。
【００６８】
図１０及び図１１を参照しながら、一実施形態に係るコネクタ１０と接続される接続対象物７０の構成について主に説明する。
【００６９】
図１１に示すとおり、接続対象物７０は、大きな構成要素として、インシュレータ８０と、金具９０と、コンタクト１００と、を有する。接続対象物７０は、一例として、インシュレータ８０に対して下方から金具９０及びコンタクト１００を圧入することで組み立てられる。
【００７０】
インシュレータ８０は、絶縁性かつ耐熱性の合成樹脂料を射出成形した、略四角柱状の部材である。インシュレータ８０は、上面に形成されている嵌合凹部８１を有する。インシュレータ８０は、図２にも示すとおり、底面の左右両端部で上下方向に沿ってインシュレータ８０の内部に凹設されている金具取付溝８２を有する。金具取付溝８２には、金具９０が取り付けられる。
【００７１】
インシュレータ８０は、底部の前側、その内部、及び嵌合凹部８１の前面にわたって連続的に凹設されている複数のコンタクト取付溝８３を有する。インシュレータ８０は、底部の後側、その内部、及び嵌合凹部８１の後面にわたって連続的に凹設されている複数のコンタクト取付溝８３を有する。複数のコンタクト取付溝８３は、左右方向に並んで凹設されている。コンタクト取付溝８３は、嵌合凹部８１の前後両内面において上下方向に沿って延設されている。複数のコンタクト取付溝８３には、複数のコンタクト１００がそれぞれ取り付けられる。
【００７２】
金具９０は、任意の金属材料の薄板を順送金型（スタンピング）を用いて図に示す形状に成形加工したものである。金具９０は、前後方向からの正面視において、略Ｌ字状に形成されている。金具９０は金具取付溝８２に圧入され、インシュレータ８０の左右両端部それぞれに配置されている。
【００７３】
金具９０は、その本体を構成する基部９１と、基部９１の前後両縁部それぞれに形成されている係止部９２と、を有する。係止部９２がインシュレータ８０の金具取付溝８２に係止することで、金具９０がインシュレータ８０に対して固定される。金具９０は、基部９１から略Ｌ字状に外側に延出する実装部９３を有する。
【００７４】
コンタクト１００は、例えば、リン青銅、ベリリウム銅、若しくはチタン銅を含むばね弾性を備えた銅合金、又はコルソン系銅合金の薄板を順送金型（スタンピング）を用いて図に示す形状に成形加工したものである。コンタクト１００の表面には、ニッケルめっきで下地を形成した後に、金又は錫等によるめっきが施されている。
【００７５】
コンタクト１００は、左右方向に沿って複数配列されている。コンタクト１００は、他の部分よりも左右方向に幅広に形成されている係止部１０１を有する。係止部１０１は、インシュレータ８０のコンタクト取付溝８３に対して係止する。コンタクト１００は、係止部１０１の下端部から外方に向けて略Ｌ字状に延出する実装部１０２を有する。コンタクト１００は、係止部１０１の上端部から上方に向けて略く字状に延出する弾性接触部１０３を有する。弾性接触部１０３の屈曲部は、嵌合の際にコネクタ１０のコンタクト６０の接触部６８と接触する。弾性接触部１０３は、前後方向に沿って弾性変形可能である。
【００７６】
以上のような構造の接続対象物７０では、回路基板ＣＢ２の実装面に形成された回路パターンに対して、コンタクト１００の実装部１０２がはんだ付けされる。当該実装面に形成された接地パターン等に対して、金具９０の実装部９３がはんだ付けされる。以上により、接続対象物７０は、回路基板ＣＢ２に対して実装される。回路基板ＣＢ２の実装面には、例えば、カメラモジュール及びセンサ等を含む接続対象物７０とは別の電子部品が実装される。
【００７７】
図１２は、図１のXII−XII矢線に沿った断面図である。
【００７８】
図１２を主に参照しながら、コネクタ１０に対して接続対象物７０を接続するときの、フローティング構造を有するコネクタ１０の動作について主に説明する。
【００７９】
コネクタ１０のコンタクト６０は、第１インシュレータ２０の内部で、第２インシュレータ３０が第１インシュレータ２０と離間し、かつ、浮いた状態で、第２インシュレータ３０を支持している。このとき、第２インシュレータ３０は、第１インシュレータ２０の外周壁２２によって囲繞される。
【００８０】
コンタクト６０の実装部６２が回路基板ＣＢ１に対してはんだ付けされることで、第１インシュレータ２０は、回路基板ＣＢ１に対して固定される。第２インシュレータ３０は、コンタクト６０の第１弾性部６３ａ、第２弾性部６３ｂ、及び第３弾性部６３ｃが弾性変形することで、回路基板ＣＢ１に固定された第１インシュレータ２０に対して相対的に移動可能となる。
【００８１】
このとき、第１インシュレータ２０の外周壁２２の左右方向の内面は、第１インシュレータ２０に対する第２インシュレータ３０の左右方向への過剰な移動を規制する。第２インシュレータ３０がコンタクト６０の弾性変形に伴い設計値を超えて大きく左右方向に移動すると、第２インシュレータ３０の外周壁３２の左右方向の外面が対向する第１インシュレータ２０の外周壁２２の内面と接触する。これにより、第２インシュレータ３０は、それ以上左右方向の外側に移動しない。
【００８２】
同様に、第２インシュレータ３０の被抜止部３８と対向する第１インシュレータ２０の外周壁２２の内面、及び第１インシュレータ２０の開口２１ａの周縁部の少なくとも一方は、第１インシュレータ２０に対する第２インシュレータ３０の前後方向への過剰な移動を規制する。第２インシュレータ３０がコンタクト６０の弾性変形に伴い設計値を超えて大きく前後方向に移動すると、第２インシュレータ３０の被抜止部３８及び外周壁３２の少なくとも一方が、上述した第１インシュレータ２０の外周壁２２の内面及び開口２１ａの周縁部の少なくとも一方とそれぞれ接触する。例えば、図８及び図９にも示すとおり、第２インシュレータ３０が前方及び後方にそれぞれ大きく移動した場合、第２インシュレータ３０の外周壁３２が、第１インシュレータ２０の開口２１ａの周縁部と接触する。以上により、第２インシュレータ３０は、それ以上前後方向の外側に移動しない。
【００８３】
図２にも示すとおり、このようなフローティング構造を有するコネクタ１０に対して接続対象物７０の上下方向の向きを逆にした状態で、コネクタ１０及び接続対象物７０の前後位置及び左右位置を略一致させながら、互いを上下方向に対向させる。その後、接続対象物７０を下方に移動させる。このとき、互いの位置が例えば前後左右方向に多少ずれていても、コネクタ１０の誘い込み部３５と接続対象物７０とが接触する。その結果、コネクタ１０のフローティング構造により第２インシュレータ３０が第１インシュレータ２０に対して相対的に移動する。これにより、接続対象物７０が第２インシュレータ３０の嵌合凹部３４に誘い込まれる。
【００８４】
接続対象物７０を下方にさらに移動させると、コネクタ１０の嵌合凸部３３と接続対象物７０の嵌合凹部８１とが嵌合する。コネクタ１０の嵌合凹部３４と接続対象物７０のインシュレータ８０とが嵌合する。この状態で、コンタクト６０の接触部６８とコンタクト１００の弾性接触部１０３とが互いに接触する。このとき、コンタクト１００の弾性接触部１０３は、コンタクト取付溝８３の内部で外側に向けて若干弾性変形する。
【００８５】
以上により、コネクタ１０と接続対象物７０とは、完全に接続される。このとき、コンタクト６０及びコンタクト１００を介して、回路基板ＣＢ１と回路基板ＣＢ２とが電気的に接続される。
【００８６】
この状態で、コンタクト１００の一対の弾性接触部１０３は、コネクタ１０の一対のコンタクト６０を前後方向に沿った内側への弾性力により前後両側から挟持する。これにより生じるコンタクト６０への押圧力の反作用により、接続対象物７０をコネクタ１０から抜去する場合、第２インシュレータ３０は、コンタクト６０を介して上方への力を受ける。これにより、仮に第２インシュレータ３０が上方向に移動したとしても、第１インシュレータ２０の抜止部２５が、第１インシュレータ２０に対する第２インシュレータ３０の上方への抜けを抑制する。第１インシュレータ２０の抜止部２５は、下面視において第２インシュレータ３０の被抜止部３８と重畳している。したがって、第２インシュレータ３０が上方に移動しようとすると、外周壁３２の外面３２ａから外側に突出する被抜止部３８が抜止部２５と接触する。これにより、第２インシュレータ３０は、それ以上上方に移動しない。
【００８７】
以上のような一実施形態に係るコネクタ１０によれば、フローティング構造を有し、かつ低背化された場合であっても、信号伝送における伝送特性が向上する。調整部材５０ａ及び５０ｂが、コンタクト６０と対向する調整部５１ａ及び５１ｂをそれぞれ有することで、各調整部がコンタクト６０の対応する部分に近接又は接触する。これにより、各調整部の近傍においてコンタクト６０の特性インピーダンスが減少する。より具体的には、各調整部に含まれる電気伝導性を有する部材を、その表層の電気絶縁性部材を挟んでコンタクト６０に近接させることで、これらの間でコンデンサと同様の効果を得ることができる。静電容量をＣとすると、このときの特性インピーダンスＺは、静電容量Ｃに依存する。例えば、特性インピーダンスＺは、静電容量Ｃの平方根と反比例する、又は静電容量Ｃと反比例する。したがって、コンデンサの間隔を狭めて静電容量Ｃを大きくすることで、特性インピーダンスが減少する。このように、特性インピーダンスの値が理想値に近付くように調整することで、信号伝送における伝送特性が向上する。
【００８８】
調整部５１ａ及び５１ｂ１が前後方向において内側及び外側からコンタクト６０の第２連結部６５とそれぞれ対向することで、第２連結部６５の両側でコンデンサと同様の効果が得られる。したがって、コンタクト６０の特性インピーダンスがさらに減少し、信号伝送における伝送特性がさらに向上する。
【００８９】
調整部５１ａ及び５１ｂそれぞれがコンタクト６０の配列方向に延在することで、左右方向に配列されている複数のコンタクト６０全体にわたって各調整部が近接又は接触する。したがって、それぞれのコンタクト６０の特性インピーダンスが低下する。結果として、それぞれのコンタクト６０の信号伝送における伝送特性がさらに向上する。加えて、各コンタクト６０に対して各調整部を個別に形成する必要がなく、調整部材５０ａ及び５０ｂの生産性が向上する。結果として、コネクタ１０の生産性が向上する。
【００９０】
調整部５１ａ及び５１ｂそれぞれがコンタクト６０の配列方向に延在することで、各調整部に含まれる電気伝導性を有する部材が電磁ノイズに対する遮蔽部材の役割も果たす。したがって、大容量かつ高速の信号伝送においても伝送特性が向上する。より具体的には、コンタクト６０において各調整部が対向している部分の伝送信号に関するノイズの影響が低減する。例えば、コネクタ１０から外部に流出する磁気等のノイズを各調整部が抑制することで、コンタクト６０によって伝送される信号が及ぼす、コネクタ１０周辺に搭載されている電子部品への電気的な影響が低減する。
【００９１】
調整部５１ａ及び５１ｂそれぞれが金属部材を含み表層に電気絶縁性を有していることで、金属部材とコンタクト６０とによるコンデンサと同様の効果を奏しつつ、金属部材とコンタクト６０との電気的な絶縁も確保できる。例えば、第２インシュレータ３０が移動する際、各調整部とコンタクト６０の対応する部分とは接触しやすくなる。このような場合であっても、金属部材とコンタクト６０との電気的な絶縁が確保され、短絡等の電気的に引き起こされる不具合が抑制される。したがって、コネクタ１０と接続対象物７０とが接続されている状態であっても、接続信頼性が向上する。
【００９２】
コンタクト６０と対向する調整部５１ａ及び５１ｂそれぞれの面が平面であることで、各調整部とコンタクト６０の対応する部分との接触による各構成部の変形及び破損が抑制される。例えば、第２インシュレータ３０が移動する際、各調整部とコンタクト６０の対応する部分とは接触しやすくなる。このような場合であっても、各調整部とコンタクト６０の対応する部分との接触に起因する力学的な不具合が抑制される。より具体的には、第２インシュレータ３０が移動した際に、コンタクト６０と各調整部とが接触することによるコンタクト６０の変形が防止される。又は、各調整部材若しくはコンタクト６０の削れが抑制される。したがって、コネクタ１０と接続対象物７０とが接続されている状態であっても、接続信頼性が向上する。
【００９３】
調整部材５０ａの係止部５２ａが第１インシュレータ２０に係止することで、移動する第２インシュレータ３０に係止する場合よりも安定して第１インシュレータ２０と第２インシュレータ３０との間に調整部材５０ａが配置される。例えば、第２インシュレータ３０が移動した際に、第２インシュレータ３０に係止した一対の調整部材５０ａの一方がコンタクト６０から離間するといった事態が生じることもない。係止部５２ａが第１インシュレータ２０に係止することで、調整部材５０ａとコンタクト６０との相対位置が安定する。
【００９４】
接続部５３ａがコンタクト６０よりも嵌合側に位置することで、調整部材５０ａの接続部５３ａとコンタクト６０の対応する部分とが前後方向に沿って重畳する。これにより、コネクタ１０の前後方向の幅が縮小され、コネクタ１０が小型化される。加えて、接続部５３ａが調整部５１ａの移動の際に弾性変形することで、調整部５１ａとコンタクト６０の第２連結部６５とが大きく離間しないように相対位置が調整される。したがって、調整部５１ａとコンタクト６０との間隔の変化によって生じるコンタクト６０の特性インピーダンス変化が抑制される。
【００９５】
調整部５１ａと対向する外周壁３２の外面３２ａから調整部５１ａに向けて突出する突出部３７を第２インシュレータ３０が有することで、図８及び図９に示すとおり、第２インシュレータ３０が移動した際に、突出部３７と一方の調整部５１ａとが接触する。これにより、突出部３７は、第２インシュレータ３０が移動した場合であっても、当該一方の調整部５１ａとコンタクト６０との間隔を縮めて互いが大きく離間しないよう、調整部５１ａを押すことができる。したがって、調整部５１ａとコンタクト６０との間隔の変化によって生じるコンタクト６０の特性インピーダンス変化が抑制される。
【００９６】
第２インシュレータ３０の外周壁３２の外面３２ａから突出部３７が前後方向に突出することで、突出部３７がコンタクト６０の第２連結部６５に近接し、突出部３７の近傍においてコンタクト６０の特性インピーダンスが減少する。より具体的には、空気の誘電率よりも高い第２インシュレータ３０の突出部３７を、空気を挟んでコンタクト６０に近接させることで、これらの間でコンデンサと同様の効果を得ることができる。したがって、上述したとおり、特性インピーダンスの値が理想値に近付くように調整することで、信号伝送における伝送特性が向上する。
【００９７】
突出部３７が形成されている位置において第２インシュレータ３０が幅広であることで、第２インシュレータ３０の強度が向上する。加えて、第２インシュレータ３０の重心が下方に下がるので、コネクタ１０のフローティング動作の際に第２インシュレータ３０が安定した姿勢で移動する。一方で、嵌合側で第２インシュレータ３０が幅狭であることで、嵌合側における外周壁３２の外面３２ａと第１インシュレータ２０及び調整部材５０ａそれぞれとの間隔が大きくなる。これにより、第２インシュレータ３０が移動した際に嵌合側で第１インシュレータ２０及び調整部材５０ａと接触することを抑制し、コネクタ１０のフローティング動作に必要とされる第２インシュレータ３０の可動量が維持される。
【００９８】
突出部３７の下面がコンタクト６０の基部６６と略平行であることで、突出部３７と基部６６との間でコンデンサと同様の効果を得ることができる。したがって、突出部３７の下面と基部６６との間の間隔を調整することで、基部６６における特性インピーダンスが容易に調整される。例えば、突出部３７の下面と基部６６とを近接させることで、静電容量Ｃを大きくして特性インピーダンスを低減させることも可能である。
【００９９】
隣接する第２弾性部６３ｂ及び第３弾性部６３ｃよりも幅広な第２連結部６５をコンタクト６０が有することで、第２連結部６５における特性インピーダンスが減少する。これにより、これらの弾性部における特性インピーダンスの増加分が抑制され全体の特性インピーダンスの平均値が理想値に近づく。このように、コネクタ１０は、特性インピーダンスマッチングに寄与できる。したがって、コネクタ１０では、大容量かつ高速伝送においても所望する伝送特性が得られる。
【０１００】
金具４０が第１インシュレータ２０に圧入されて、実装部４３が回路基板ＣＢ１にはんだ付けされることで、金具４０は、第１インシュレータ２０を回路基板ＣＢ１に対して安定して固定できる。金具４０により、回路基板ＣＢ１に対する第１インシュレータ２０の実装強度が向上する。
【０１０１】
コンタクト６０が弾性係数の小さい金属材料によって形成されていることで、コネクタ１０は、第２インシュレータ３０にかかる力が小さい場合であっても、必要とされる第２インシュレータ３０の移動量を確保できる。すなわち、第２インシュレータ３０は、第１インシュレータ２０に対して滑らかに移動することができる。これにより、コネクタ１０は、接続対象物７０と嵌合する際の位置ずれを容易に吸収できる。コネクタ１０では、何らかの外的要因によって発生する振動をコンタクト６０の各弾性部が吸収する。これにより、実装部６２に大きな力が加わる可能性が抑制される。したがって、回路基板ＣＢ１との接続部分の破損が抑制される。すなわち、回路基板ＣＢ１と実装部６２との接続部分のはんだにクラックが入ることを抑制できる。したがって、コネクタ１０と接続対象物７０とが接続されている状態であっても、接続信頼性が向上する。
【０１０２】
本発明は、その精神又はその本質的な特徴から離れることなく、上述した実施形態以外の他の所定の形態で実現できることは当業者にとって明白である。したがって、先の記述は例示的であり、これに限定されない。発明の範囲は、先の記述によってではなく、付加した請求項によって定義される。あらゆる変更のうちその均等の範囲内にあるいくつかの変更は、その中に包含されるとする。
【０１０３】
例えば、上述した各構成部の形状、配置、向き、及び個数等は、上記の説明及び図面における図示の内容に限定されない。各構成部の形状、配置、向き、及び個数等は、その機能を実現できるのであれば、任意に構成されてもよい。
【０１０４】
上述したコネクタ１０及び接続対象物７０の組立方法は、上記の説明の内容に限定されない。コネクタ１０及び接続対象物７０の組立方法は、それぞれの機能が発揮されるように組み立てることができるのであれば、任意の方法であってもよい。例えば、金具４０、調整部材５０ａ、及びコンタクト６０の少なくとも１つは、圧入ではなくインサート成形によって第１インシュレータ２０及び第２インシュレータ３０の少なくとも一方と一体的に成形されてもよい。
【０１０５】
図１３は、調整部材５０ａの変形例を示した図７に対応する断面図である。調整部材５０ａの調整部５１ａは、第１インシュレータ２０と第２インシュレータ３０との間に加えて、嵌合方向において、コンタクト６０よりも嵌合側にさらに形成されていてもよい。このとき、調整部５１ａは、第１インシュレータ２０と第２インシュレータ３０との間、及びコンタクト６０の上側でコンタクト６０と対向する。これにより、調整部材５０ａの調整部５１ａとコンタクト６０とが対向する面積が増大し、コンタクト６０の特性インピーダンスがさらに減少する。結果として、信号伝送における伝送特性がさらに向上する。
【０１０６】
調整部材５０ａ及び５０ｂは、第１インシュレータ２０と第２インシュレータ３０との間、及び第２インシュレータ３０の下方でコンタクト６０と対向するとして説明したがこれに限定されない。調整部材５０ａ及び５０ｂは、第１インシュレータ２０の内側の任意の位置でコンタクト６０と対向してもよい。例えば、調整部材５０ａ及び５０ｂは、第１インシュレータ２０と第２インシュレータ３０との間、及び第２インシュレータ３０の下方のいずれか一方でコンタクト６０と対向してもよい。
【０１０７】
前後方向において両側から調整部５１ａ及び５１ｂ１がコンタクト６０と対向するとして説明したが、これに限定されない。調整部５１ａ及び５１ｂ１のいずれか一方のみがコンタクト６０と対向してもよい。
【０１０８】
調整部材５０ａ及び５０ｂは別部材として形成されていると説明したが、各調整部材の構成はこれに限定されない。各調整部材は、その機能を実現できる任意の構成を有してもよい。例えば、調整部材５０ａ及び５０ｂが共に一体的に形成されて、１つの連続的な調整部材として構成されてもよい。
【０１０９】
各調整部は、金属部材を含み表層に電気絶縁性を有していれば任意の方法で形成されてもよい。例えば、各調整部は、金属部材と樹脂材とが一体的に成形されるインサート成形により形成されてもよいし、金属部材の表面に絶縁性のめっきを施すことで形成されてもよいし、金属部材を絶縁性のシートで覆うように形成されてもよい。各調整部は、コンタクト６０との絶縁性を確保できるのであれば、金属部材のみによって形成されていてもよい。
【０１１０】
コンタクト６０と対向する各調整部の面が平面であるとして説明したが、これに限定されない。コンタクト６０と対向する各調整部の面に、コンタクト６０が弾性変形した際に対応するコンタクト６０の部分が収容される溝又は貫通孔等の任意の構造が付加されていてもよい。
【０１１１】
接続部５３ａ及び５３ｂそれぞれは、任意の材料によって形成されていてもよい。例えば、各接続部は、各調整部と同様に金属部材を含み表層に電気絶縁性を有していてもよいし、金属及び樹脂のいずれか一方のみによって形成されていてもよい。
【０１１２】
調整部材５０ａは、係止部５２ａにより第１インシュレータ２０に係止するとして説明したがこれに限定されない。調整部材５０ａは、任意の方法で第１インシュレータ２０の内側に配置されてもよい。例えば、調整部材５０ａは、接着剤等を含む任意の粘着剤によりコンタクト６０に直接取り付けられてもよい。例えば、調整部材５０ａは、インサート成形によりコンタクト６０と一体的に形成されていてもよい。例えば、調整部材５０ａは、第１インシュレータ２０の外周壁２２の外面に沿って配置される金属製の遮蔽部材と連続的に形成され、第１インシュレータ２０の上面を介して開口２１ａから内側に垂れ下がるような形状で形成されていてもよい。
【０１１３】
突出部３７は、外周壁３２の外面３２ａの上部から下縁部まで傾斜する傾斜面を含むとして説明したが、これに限定されない。突出部３７は、調整部５１ａを押すことができ、かつコネクタ１０の信号伝送における伝送特性が向上するのであれば、任意の構成を有してもよい。例えば、突出部３７は、外周壁３２の外面３２ａの上縁部から下縁部までの全体が傾斜する傾斜面を含んでもよい。例えば、突出部３７は、外周壁３２から外側に階段状に突出し、上下方向に平行な外面を含むように形成されていてもよい。例えば、突出部３７は、曲面を含むように外周壁３２から外側に突出してもよい。
【０１１４】
第１連結部６４、第２連結部６５、及び基部６６それぞれにおいて、伝送路の幅、すなわち伝送路の断面積が増大して特性インピーダンスが低下することで、コンタクト６０の伝送特性が向上するとして説明したが、各構成部の構成はこれに限定されない。第１連結部６４、第２連結部６５、及び基部６６それぞれは、電気伝導性が向上する任意の構成を有してもよい。例えば、各構成部は、コンタクト６０の他の部分と幅が同一のまま厚く形成されていてもよい。例えば、各構成部は、断面積が同一のままコンタクト６０の他の部分よりも電気伝導性の高い材料によって形成されていてもよい。例えば、各構成部は、コンタクト６０の他の部分と断面積が同一のまま表面に電気伝導性を向上させるめっきを有してもよい。
【０１１５】
第２連結部６５は、第２インシュレータ３０に向けて略く字状に屈曲してもよい。これにより、コネクタ１０のフローティング動作に必要とされる第２インシュレータ３０の可動量が増大する。加えて、コネクタ１０が低背化する。
【０１１６】
第１弾性部６３ａ、第２弾性部６３ｂ、及び第３弾性部６３ｃは、コンタクト６０の他の部分よりも幅狭に形成されているとして説明したがこれに限定されない。各弾性部は、必要とされる弾性変形量を確保できる任意の構成を有してもよい。例えば、各弾性部は、幅が同一のままコンタクト６０の他の部分よりも弾性係数のさらに小さい金属材料によって形成されていてもよい。
【０１１７】
コンタクト６０は、弾性係数の小さい金属材料によって形成されているとして説明したが、これに限定されない。コンタクト６０は、必要とされる弾性変形量を確保できるのであれば、任意の弾性係数を有する金属材料によって形成されていてもよい。
【０１１８】
接続対象物７０は、回路基板ＣＢ２に接続されるリセプタクルコネクタであるとして説明したが、これに限定されない。接続対象物７０は、コネクタ以外の任意の対象物であってもよい。例えば、接続対象物７０は、ＦＰＣ、フレキシブルフラットケーブル、リジッド基板、又は任意の回路基板のカードエッジ等であってもよい。
【０１１９】
以上のようなコネクタ１０は、電子機器に搭載される。電子機器は、例えば、カメラ、レーダ、ドライブレコーダ、又はエンジンコントロールユニット等の任意の車載機器を含む。電子機器は、例えば、カーナビゲーションシステム、先進運転支援システム、又はセキュリティシステム等の車載システムにおいて使用される任意の車載機器を含む。電子機器は、例えば、パーソナルコンピュータ、コピー機、プリンタ、ファクシミリ、又は複合機等の任意の情報機器を含む。その他、電子機器は、任意の産業機器を含む。
【０１２０】
このような電子機器は、小型化された場合であっても、信号伝送における良好な伝送特性を有する。コネクタ１０の良好なフローティング構造により基板間の位置ずれが吸収されるので、電子機器の組み立ての際の作業性が向上する。すなわち、電子機器の製造が容易になる。コネクタ１０により回路基板ＣＢ１との接続部分の破損が抑制されるので、電子機器の製品としての信頼性が向上する。同様に、コネクタ１０における上述した電気的な不具合及び力学的な不具合が抑制されて、接続対象物７０との接続信頼性が向上することで、電子機器の製品としての信頼性がさらに向上する。
【符号の説明】
【０１２１】
１０    コネクタ
２０    第１インシュレータ
２１ａ、２１ｂ  開口
２２    外周壁
２３ａ  第１取付溝
２３ｂ  第２取付溝
２４    コンタクト取付溝
２５    抜止部
３０    第２インシュレータ
３１    底部
３２    外周壁
３２ａ  外面
３３    嵌合凸部
３４    嵌合凹部
３５    誘い込み部
３６    コンタクト取付溝
３７    突出部
３８    被抜止部
４０    金具
４１    基部
４２    係止部
４３    実装部
５０ａ、５０ｂ  調整部材
５１ａ、５１ｂ、５１ｂ１、５１ｂ２  調整部
５２ａ  係止部
５３ａ、５３ｂ  接続部
６０、６０ａ、６０ｂ  コンタクト
６１    第１係止部
６２    実装部
６３ａ  第１弾性部
６３ｂ  第２弾性部
６３ｃ  第３弾性部
６４    第１連結部
６５    第２連結部
６６    基部
６７    第２係止部
６８    接触部
７０    接続対象物
８０    インシュレータ
８１    嵌合凹部
８２    金具取付溝
８３    コンタクト取付溝
９０    金具
９１    基部
９２    係止部
９３    実装部
１００  コンタクト
１０１  係止部
１０２  実装部
１０３  弾性接触部
ＣＢ１、ＣＢ２  回路基板
【図１】
2019169370.tif 000003
【図２】
2019169370.tif 000004
【図３】
2019169370.tif 000005
【図４】
2019169370.tif 000006
【図５】
2019169370.tif 000007
【図６】
2019169370.tif 000008
【図７】
2019169370.tif 000009
【図８】
2019169370.tif 000010
【図９】
2019169370.tif 000011
【図１０】
2019169370.tif 000012
【図１１】
2019169370.tif 000013
【図１２】
2019169370.tif 000014
【図１３】
2019169370.tif 000015